(57)【要約】      （修正有）【課題】画像形成に関してユーザーの所望する情報を利便性良く提供することができる画像形成装置を提供する。【解決手段】画像形成装置１００は、画像を示す画像データＤに基づいてシートに画像を形成する。画像形成装置１００は、画像形成ユニット３０と、通信部５０と、入力部４０と、制御部１０とを備える。画像形成ユニット３０は、シートに画像を形成する。通信部５０は、携帯端末装置２００との間で無線通信可能である。入力部４０は、画像データＤに関する特定の処理のための指示である特定処理指示が入力される。制御部１０は、特定の処理を実行する。制御部１０は、特定処理指示の入力に基づいて、特定処理情報ＮＰを携帯端末装置２００へ送信するように通信部５０を制御する。特定処理情報ＮＰは、特定の処理の実行動作に関する情報を示す。【選択図】図１
2019096955.tif 000002
【特許請求の範囲】
【請求項１】
画像を示す画像データに基づいてシートに前記画像を形成する画像形成装置であって、
前記シートに前記画像を形成する画像形成部と、
携帯端末装置との間で無線通信可能な通信部と、
前記画像データに関する特定の処理のための指示である特定処理指示が入力される入力部と、
前記特定の処理を実行する制御部と
を備え、
前記制御部は、前記特定処理指示の入力に基づいて、特定処理情報を前記携帯端末装置へ送信するように前記通信部を制御し、
前記特定処理情報は、前記特定の処理の実行動作に関する情報を示す、画像形成装置。
【請求項２】
表示部を更に備え、
前記表示部は、前記特定処理指示を入力するための画面画像を表示し、
前記特定処理情報は、前記画面画像を示す画面画像情報を含み、
前記携帯端末装置は、前記通信部との間で前記無線通信可能な端末通信部と、タッチパネル機能を有する端末入力表示部とを備え、
前記通信部は、前記画面画像情報を前記端末通信部に送信し、
前記端末入力表示部は、前記画面画像に対応する端末画面画像を前記画面画像情報に従って表示し、
前記表示部による前記画面画像の表示と、前記端末入力表示部による前記端末画面画像の表示とは、前記入力部及び／又は前記端末入力表示部への入力に基づいて互いに連動する、請求項１に記載の画像形成装置。
【請求項３】
前記入力部又は前記端末入力表示部には、表示選択指示が入力され、
前記表示選択指示は、連動表示処理及び非連動表示処理のいずれか一方を選択する指示を示し、
前記連動表示処理は、前記画面画像の表示と前記端末画面画像の表示とを互いに連動させる表示処理を示し、
前記非連動表示処理は、前記画面画像の表示と前記端末画面画像の表示との連動を解除する表示処理を示す、請求項２に記載の画像形成装置。
【請求項４】
前記端末画面画像は、端末入力マニュアル画像を含み、
前記端末入力マニュアル画像は、前記端末入力表示部への前記特定処理指示の入力手順を示し、
前記端末入力表示部は、前記入力部への前記特定処理指示の入力に連動して前記端末入力マニュアル画像を表示する、請求項２又は請求項３に記載の画像形成装置。
【請求項５】
前記端末画面画像は、端末アイコン画像を更に含み、
前記端末アイコン画像は、前記特定処理指示を入力するためのアイコンを示し、
前記入力部には、前記端末アイコン画像の配置を変更する配置変更指示が入力され、
前記端末入力表示部は、前記配置変更指示の入力に従い前記端末アイコン画像の配置を変更する、請求項２から請求項４のいずれか１項に記載の画像形成装置。
【請求項６】
前記画面画像は、割込アイコン画像と復帰アイコン画像とを含み、
前記端末画面画像は、前記割込アイコン画像に対応する端末割込アイコン画像と、前記復帰アイコン画像に対応する端末復帰アイコン画像とを更に含み、
前記割込アイコン画像と前記端末割込アイコン画像とは、割込指示を入力するためのアイコンをそれぞれ示し、
前記割込指示は、前記特定の処理の実行を一時停止し、前記端末画面画像の表示と前記画面画像の表示との連動を一時解除する指示であり、
前記復帰アイコン画像と前記端末復帰アイコン画像とは、復帰指示を入力するためのアイコンをそれぞれ示し、
前記復帰指示は、一時停止された前記実行と、一時解除された前記連動とを再開する指示であり、
前記割込指示の入力と前記復帰指示の入力との間に前記端末入力表示部に特定処理指示が入力された場合、前記復帰指示の入力後に、前記制御部は、前記実行を再開し、前記特定処理指示に対応する前記特定の処理を更に実行する、請求項２から請求項５のいずれか１項に記載の画像形成装置。
【請求項７】
前記携帯端末装置は、１以上の端末フォルダーを有する端末記憶部を更に備え、
前記１以上の端末フォルダーは、前記通信部から送信される前記特定処理情報を格納するためのフォルダーであり、
前記１以上の端末フォルダーのうちいずれか１つの端末フォルダーを指定する指示であるフォルダー指定指示が前記端末入力表示部に入力された状態において前記入力部に前記特定処理指示が入力されると、前記特定処理情報は、前記１つの端末フォルダーに送信される、請求項２から請求項６のいずれか１項に記載の画像形成装置。
【請求項８】
前記通信部は、近距離無線通信で前記端末通信部と通信可能であり、
前記通信部と前記端末通信部との間の距離が予め規定された閾値よりも小さい場合に、前記制御部は、前記特定処理指示の入力に基づいて、前記特定処理情報を前記端末通信部へ送信するように前記通信部を制御する、請求項２から請求項７のいずれか１項に記載の画像形成装置。
【請求項９】
前記制御部は、
前記距離が小さくなり続けると、前記閾値を大きくするように前記閾値を変更し、
前記距離が大きくなり続けると、前記閾値を小さくするように前記閾値を変更する、請求項８に記載の画像形成装置。
【請求項１０】
前記制御部は、
前記距離が小さくなり続けている間、前記距離の小さくなるペースが速まるにつれて前記閾値を更に大きくするように前記閾値を変更し、
前記距離が大きくなり続けている間、前記距離の大きくなるペースが速まるにつれて前記閾値を更に小さくするように前記閾値を変更する、請求項９に記載の画像形成装置。
【請求項１１】
記憶部を更に備え、
前記記憶部は、ユーザーを識別する情報であるユーザー識別情報を予め記憶しており、
前記入力部には、前記ユーザーを認証するための指示であるユーザー認証指示が入力され、
前記特定処理指示が前記入力部に入力された場合に、前記制御部は、前記ユーザー認証指示と前記ユーザー識別情報とに基づいて前記ユーザーを認証し、前記特定処理情報を前記携帯端末装置へ送信するように前記通信部を制御する、請求項１から請求項１０のいずれか１項に記載の画像形成装置。
【請求項１２】
原稿の画像を読み取り前記画像データを生成する読取部を更に備え、
前記特定の処理は、前記原稿の画像を読み取り前記画像データを生成するように前記制御部が前記読取部を制御する処理を含み、
前記特定処理情報は、生成された前記画像データを含む、請求項１から請求項１１のいずれか１項に記載の画像形成装置。
【請求項１３】
画像を示す画像データに基づいてシートに前記画像を形成する画像形成装置と、前記画像形成装置との間で無線通信可能な携帯端末装置とを備える通信システムであって、
前記携帯端末装置は、端末通信部を備え、
前記画像形成装置は、
前記シートに前記画像を形成する画像形成部と、
前記端末通信部との間で無線通信可能な通信部と、
前記画像データに関する特定の処理のための指示である特定処理指示が入力される入力部と、
前記特定の処理を実行する制御部と
を備え、
前記制御部は、前記特定処理指示の入力に基づいて、特定処理情報を前記端末通信部へ送信するように前記通信部を制御し、
前記特定処理情報は、前記特定の処理の実行動作に関する情報を示し、
前記端末通信部は、前記通信部から送信される前記特定処理情報を受信する、通信システム。
【発明の詳細な説明】
【技術分野】
【０００１】
本発明は、画像形成装置及び通信システムに関する。
【背景技術】
【０００２】
携帯端末装置と画像形成装置とを含む情報表示システムが知られている。このような情報表示システムとして、特許文献１に記載の情報表示システムでは、画像形成装置内でトラブルが発生した際に、画像形成装置がトラブルの種類を特定し、携帯端末装置を近距離無線通信で検出する。特許文献１に記載の画像形成装置は、サポートセンターへのアクセス情報を近距離無線通信で携帯端末装置へ送信する。
【先行技術文献】
【特許文献】
【０００３】
【特許文献１】特開２０１５−１２６２４６号公報
【発明の概要】
【発明が解決しようとする課題】
【０００４】
しかしながら、特許文献１に記載の画像形成装置は、トラブルの発生していない正常動作時に画像形成に関する情報を携帯端末装置に送信できない。従って、画像形成に関してユーザーの所望する情報を利便性良く提供することが困難であった。
【０００５】
本発明は上記課題に鑑みてなされたものであり、画像形成に関してユーザーの所望する情報を利便性良く提供することができる画像形成装置及び通信システムを提供することを目的とする。
【課題を解決するための手段】
【０００６】
本発明に係る画像形成装置は、画像を示す画像データに基づいてシートに前記画像を形成する。画像形成装置は、画像形成部と、通信部と、入力部と、制御部とを備える。前記画像形成部は、前記シートに前記画像を形成する。前記通信部は、携帯端末装置との間で無線通信可能である。前記入力部は、前記画像データに関する特定の処理のための指示である特定処理指示が入力される。前記制御部は、前記特定の処理を実行する。前記制御部は、前記特定処理指示の入力に基づいて、特定処理情報を前記携帯端末装置へ送信するように前記通信部を制御する。前記特定処理情報は、前記特定の処理の実行動作に関する情報を示す。
【０００７】
本発明に係る通信システムは、画像形成装置と、携帯端末装置とを備える。前記画像形成装置は、画像を示す画像データに基づいてシートに前記画像を形成する。前記携帯端末装置は、前記画像形成装置との間で無線通信可能である。前記携帯端末装置は、端末通信部を備える。前記画像形成装置は、画像形成部と、通信部と、入力部と、制御部とを備える。前記画像形成部は、前記シートに前記画像を形成する。前記通信部は、前記端末通信部との間で無線通信可能である。前記入力部は、前記画像データに関する特定の処理のための指示である特定処理指示が入力される。前記制御部は、前記特定の処理を実行する。前記制御部は、前記特定処理指示の入力に基づいて、特定処理情報を前記端末通信部へ送信するように前記通信部を制御する。前記特定処理情報は、前記特定の処理の実行動作に関する情報を示す。前記端末通信部は、前記通信部から送信される前記特定処理情報を受信する。
【発明の効果】
【０００８】
本発明によれば、画像形成に関してユーザーの所望する情報を利便性良く提供することができる。
【図面の簡単な説明】
【０００９】
【図１】本発明の実施形態に係る通信システムを示す構成図である。
【図２】本発明の実施形態に係る通信システムにおける画像形成装置を示す図である。
【図３】本発明の実施形態に係る通信システムを示す構成図である。
【図４】（ａ）は、本発明の実施形態に係る画像形成装置の操作パネルを示す図であり、（ｂ）は、操作パネルの一部を示す図である。
【図５】（ａ）は、本発明の実施形態に係る通信システムにおける携帯端末装置を示す図であり、（ｂ）は、携帯端末装置の端末入力表示部を示す図である。
【図６】（ａ）は、画像形成装置の操作パネルの一部を示す図であり、（ｂ）は、携帯端末装置の端末入力表示部を示す図である。
【図７】（ａ）は、画像形成装置の操作パネルの一部を示す図であり、（ｂ）は、携帯端末装置の端末入力表示部を示す図である。
【図８】（ａ）及び（ｂ）は、携帯端末装置の端末入力表示部を示す図である。
【図９】（ａ）は、画像形成装置の操作パネルの一部を示す図であり、（ｂ）は、携帯端末装置の端末入力表示部を示す図である。
【図１０】（ａ）は、画像形成装置の操作パネルの一部を示す図であり、（ｂ）は、携帯端末装置の端末入力表示部を示す図である。
【図１１】（ａ）は、携帯端末装置の端末入力表示部を示す図であり、（ｂ）は、画像形成装置の操作パネルの一部を示す図である。
【図１２】本発明の実施形態に係る通信システムが実行する、特定処理情報の送信処理を示すフローチャートである。
【図１３】本発明の実施形態に係る通信システムが実行する、特定処理情報の送信処理の一部を示すフローチャートである。
【図１４】本発明の実施形態に係る通信システムが実行する、特定処理情報の送信処理を示すフローチャートである。
【発明を実施するための形態】
【００１０】
以下、本発明の実施形態について、図面を参照しながら説明する。なお、図中、同一又は相当部分については同一の参照符号を付して説明を繰り返さない。
【００１１】
図１を参照して、本発明の実施形態に係る通信システム１の全体構成を説明する。図１は、通信システム１を示す構成図である。通信システム１は、画像形成装置１００と、画像形成装置１００との間で無線通信可能な携帯端末装置２００とを備える。
【００１２】
画像形成装置１００は、画像を示す画像データＤに基づいてシートに画像を形成する。画像形成装置１００は、例えば、複写機、プリンター、又は複合機である。以下では、一例として、画像形成装置１００がプリンター機能と複写機能とを有するモノクロ複合機である場合について説明する。画像形成装置１００は、記憶部２０と、画像形成ユニット３０と、入力部４０と、制御部１０と、通信部５０とを備える。
【００１３】
記憶部２０は、例えば、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）によって構成される。記憶部２０は、画像データＤのような各種のデータ、及び、画像形成装置１００の各部の動作を制御するための制御プログラムを記憶する。制御プログラムは、制御部１０によって実行される。
【００１４】
画像形成ユニット３０は、画像データＤに対応する画像をシートに形成する。画像形成ユニット３０は、「画像形成部」の一例に相当する。入力部４０には、特定処理指示が入力される。入力部４０は、例えば、操作パネルである。特定処理指示は、画像データＤに関する特定の処理（以下、単に「特定の処理」と記載することがある。）のための指示であり、１以上の指示を含む。特定処理指示は、ユーザーによって入力部４０に入力される。なお、画像形成ユニット３０の構成と動作の詳細については図２を参照して、入力部４０の構成の詳細については図４（ａ）及び（ｂ）を参照して、特定の処理の詳細については図４（ｂ）を参照して、それぞれ後述する。
【００１５】
制御部１０は、ＣＰＵ（Ｃｅｎｔｒａｌ  Ｐｒｏｃｅｓｓｉｎｇ  Ｕｎｉｔ）のようなプロセッサー等によって構成されるハードウェア回路である。制御部１０は、記憶部２０に記憶された制御プログラムをプロセッサーが読み出して実行することによって、画像形成装置１００の各部の動作を制御する。制御部１０は、画像形成装置１００の各部の動作を制御することによって、例えば、画像データＤに関する特定の処理を実行する。制御部１０は、特定処理指示の入力に基づいて、特定処理情報ＮＰを携帯端末装置２００へ送信するように通信部５０を制御する。特定処理情報ＮＰは、特定の処理の実行動作に関する情報を示す。なお、特定処理情報ＮＰの詳細については、図４（ｂ）を参照して後述する。
【００１６】
通信部５０は、携帯端末装置２００との間で無線通信可能である。無線通信は、ＮＦＣ（ＮＥＡＲ  Ｆｉｅｌｄ  Ｃｏｍｍｕｎｉｃａｔｉｏｎ）のような近距離無線通信、又はＷｉ−Ｆｉダイレクト（Ｗｉｒｅｌｅｓｓ  Ｆｉｄｅｌｉｔｙ  ＤＩＲＥＣＴ）（登録商標）のような通信方式（プロトコル）を利用する通信である。通信部５０は、特定処理情報ＮＰを携帯端末装置２００へ送信する。
【００１７】
携帯端末装置２００は、通信部５０との間で無線通信可能である。携帯端末装置２００は、例えば、スマートフォンである。携帯端末装置２００は、ユーザーによって携帯される。携帯端末装置２００は、通信部５０から送信された特定処理情報ＮＰを受信する。なお、携帯端末装置２００の構成の詳細については、図３を参照して後述する。
【００１８】
以上、図１を参照して説明したように、本実施形態によれば、画像形成装置１００は、画像を示す画像データＤに基づいてシートに画像を形成する。画像形成ユニット３０は、シートに画像を形成する。通信部５０は、携帯端末装置２００との間で無線通信可能である。入力部４０には、画像データＤに関する特定の処理のための特定処理指示が入力される。制御部１０は、特定の処理を実行する。制御部１０は、特定処理指示の入力に基づいて、特定処理情報ＮＰを携帯端末装置２００へ送信するように通信部５０を制御する。このようにして、通信部５０は、特定の処理の実行動作に関する情報として特定処理情報ＮＰを携帯端末装置２００へ送信できる。従って、画像形成に関してユーザーの所望する情報を利便性良く提供できる。
【００１９】
続いて、図２を参照して、画像形成ユニット３０の構成と動作の詳細について説明する。図２は、画像形成装置１００を示す図である。画像形成装置１００は、図１を参照して説明した制御部１０と、記憶部２０と、画像形成ユニット３０と、入力部４０と、通信部５０とに加えて、読取部７０と、給送部８０と、搬送部９０と、排出部９１と、表示部６０とを更に備える。
【００２０】
読取部７０は、原稿搬送装置７１と原稿載置板７２とスキャナー７３とを含む。読取部７０は、原稿搬送装置７１のトレイ又は原稿載置板７２に載置された原稿Ｍの画像を読み取る。読取部７０は、読み取った画像から画像データＤを生成する。給送部８０は、複数のシートＳを収容し、搬送部９０へシートＳを給送する。シートＳは、例えば、紙製又は合成樹脂製のシートである。搬送部９０は、複数の搬送ローラー対を含み、画像形成ユニット３０にシートＳを搬送する。画像形成ユニット３０は、消耗品（例えば、トナー）を消費することによってシートＳに画像を形成する。詳しくは、画像形成ユニット３０は、電子写真方式によってシートＳに画像を形成し、画像を加熱及び加圧してシートＳに画像を定着させる。具体的には、画像形成ユニット３０は、感光体ドラムと、帯電装置と、露光装置と、現像装置と、補給装置と、転写装置と、クリーニング装置と、除電装置と、定着装置とを含む。画像は、例えば、原稿Ｍの画像、又は記憶部２０に記憶されている画像データＤに基づく画像である。搬送部９０は、画像の定着されたシートＳを排出部９１に搬送する。排出部９１は、画像形成装置１００の外部にシートＳを排出する。表示部６０は、操作パネルに配置されるディスプレーである。なお、表示部６０の構成の詳細については、図４（ａ）及び（ｂ）を参照して後述する。
【００２１】
続いて、図３を参照して、通信システム１の構成の詳細について説明する。図３は、通信システム１を示す構成図である。
【００２２】
携帯端末装置２００は、端末記憶部２２０と、端末制御部２１０と、端末通信部２３０と、端末入力表示部２４０とを備える。
【００２３】
端末記憶部２２０は、例えば、ＨＤＤ、ＲＡＭ、及びＲＯＭによって構成される。端末記憶部２２０は、外部メモリーを含んでいてもよい。外部メモリーは、リムーバブルメディアである。端末記憶部２２０は、外部メモリーとして、例えば、ＳＤ（Ｓｅｃｕｒｅ  Ｄｉｇｉｔａｌ）カードを含む。端末記憶部２２０は、各種のデータ、制御プログラム、及びアプリケーションプログラムを記憶する。制御プログラムは、携帯端末装置２００の各部の動作を制御するためのプログラムであり、端末制御部２１０によって実行される。アプリケーションプログラムは、例えば、携帯端末装置２００と画像形成装置１００とを連動させるためのプログラムである。端末記憶部２２０は、１以上の端末フォルダー２２１を有する。端末フォルダー２２１は、例えば、各種のデータを格納する。各種のデータは、例えば、通信部５０から送信される特定処理情報ＮＰである。１以上の端末フォルダー２２１の詳細については、図１１を参照して後述する。
【００２４】
端末制御部２１０は、ＣＰＵのようなプロセッサー等によって構成されるハードウェア回路である。端末制御部２１０は、端末記憶部２２０に記憶された制御プログラムをプロセッサーが読み出して実行することによって、携帯端末装置２００の各部の動作を制御する。また、プロセッサーは、端末記憶部２２０に記憶されたアプリケーションプログラムを読み出して実行する。アプリケーションプログラムが実行されることによって、端末制御部２１０は、例えば、通信部５０から特定処理情報ＮＰを受信するように端末通信部２３０と端末入力表示部２４０とを制御する。
【００２５】
端末通信部２３０は、通信部５０との間で無線通信可能である。端末通信部２３０は、通信部５０から送信される特定処理情報ＮＰ及び画面画像情報ＮＳを受信する。画面画像情報ＮＳの詳細については、図５（ａ）を参照して後述する。
【００２６】
端末入力表示部２４０は、タッチパネル機能を有するディスプレーである。端末入力表示部２４０には、ユーザーによる各種指示が入力される。端末入力表示部２４０は、端末画面画像を表示する。端末入力表示部２４０の構成の詳細については、図５（ａ）及び（ｂ）を参照して後述する。
【００２７】
なお、図３に示すように、画像形成装置１００の記憶部２０は、ユーザー識別情報ＮＵを更に予め記憶していることが好ましい。ユーザー識別情報ＮＵは、ユーザーを識別する情報であり、例えば、ユーザー識別番号及びパスワードである。入力部４０には、ユーザー認証指示が入力される。ユーザー認証指示は、ユーザーを認証するための指示であり、例えば、ユーザー識別番号及びパスワードの入力を示す。特定処理指示が入力部４０に入力された場合に、制御部１０は、ユーザー認証指示とユーザー識別情報ＮＵとに基づいてユーザーを認証する。制御部１０は、例えば、ユーザー認証指示とユーザー識別情報ＮＵとが一致すると、ユーザーを認証する。ユーザーの認証後、制御部１０は、特定処理情報ＮＰを端末通信部２３０へ送信するように通信部５０を制御する。従って、権限の与えられていないユーザーによって特定処理情報ＮＰが端末通信部２３０に送信されることを抑制できる。その結果、機密性に応じて特定処理情報ＮＰの漏洩を抑制できる。
【００２８】
続いて、図３と図４とを参照して、入力部４０と表示部６０との構成の詳細、及び、特定の処理と特定処理指示と特定処理情報ＮＰとの詳細について説明する。図４（ａ）は、画像形成装置１００の操作パネルを示す図である。図４（ｂ）は、操作パネルの一部を示す図である。
【００２９】
図４（ａ）に示すように、入力部４０は、例えば、タッチパネル機能と種々のハードウェアボタン４１とを有する操作パネルである。入力部４０には、ユーザーによる各種の指示が入力される。ハードウェアボタン４１は、原稿Ｍ（図２参照）の読み取りを開始するためのスタートボタン４１Ａを含む。
【００３０】
表示部６０は、タッチパネル機能を有するディスプレーであり、操作パネルに配置される。このような表示部６０は、入力部４０を兼ね得る。表示部６０は、画面画像Ｇを表示する。画面画像Ｇは、特定処理指示のような各種の指示を入力するための画像である。画面画像Ｇは、メッセージ画像Ｇ１、ソフトウェアボタン画像Ｇ２、及びアイコン画像を含む。メッセージ画像Ｇ１は、各種のメッセージを示す。ソフトウェアボタン画像Ｇ２は、例えば、ＯＫ指示が入力されるＯＫボタン、又は、終了指示が入力される終了ボタンとして機能する。なお、ソフトウェアボタン画像Ｇ２は、アイコン画像であってもよい。
【００３１】
通信部５０と端末通信部２３０との無線通信を開始する指示（以下、「無線通信開始指示」と記載する。）が入力部４０に入力されると、表示部６０は、「Ｗｉ−Ｆｉダイレクト（登録商標）をＯＮにしました。」のようなメッセージを示すメッセージ画像Ｇ１を表示する。そして、ＯＫ指示がＯＫボタンに入力されると、通信部５０は、無線通信可能な状態で待機する。その後、表示部６０は、図４（ｂ）に示す画面画像Ｇを表示する。
【００３２】
図４（ｂ）に示す画面画像Ｇは、無線通信に関するメニュー（以下、「無線通信メニュー」と記載する。）の一例を示す。詳細には、表示部６０は、特定処理指示を入力するための画面画像Ｇを無線通信メニューとして表示する。特定処理指示を入力するための画面画像Ｇは、メールアドレスボタンＧＡ、画像データボタンＧＢ、スキャンボタンＧＣ、状態ボタンＧＤ、設定ボタンＧＥ、及び終了ボタンＧＦのようなソフトウェアボタン画像Ｇ２を含む。
【００３３】
制御部１０は、画面画像Ｇを介して入力された特定処理指示に従い、画像データＤに関する特定の処理を実行する。画像データＤに関する特定の処理は、画像データＤを動作対象として用いる処理（以下、「第１特定処理」と記載する。）、画像データＤを生成する処理（以下、「第２特定処理」と記載する。）、画像データＤに対応する画像形成処理に関連する情報の抽出処理（以下、「第３特定処理」と記載する。）、画像データＤの送信処理で用いられる関連情報の抽出処理（以下、「第４特定処理」と記載する。）、及び、画像データＤに関する特定の処理のためのユーザーインターフェイス関連情報の送信処理（以下、「第５特定処理」と記載する。）を含む。通信部５０は、特定処理指示の入力に基づいて、特定処理情報ＮＰを端末通信部２３０へ送信する。
【００３４】
第１特定処理は、例えば、外部装置（例えば、携帯端末装置２００）への画像データＤの送信処理（以下、「画像データＤの送信処理」と記載する。）である。第１特定処理は、画像データボタンＧＢに入力される特定処理指示に対応する。第１特定処理の実行動作に関する特定処理情報ＮＰは、例えば、画像データＤである。
【００３５】
第２特定処理は、例えば、原稿Ｍ（図２参照）の画像を読み取ることによって画像データＤを生成し、生成された画像データＤを外部装置（例えば、携帯端末装置２００）に送信する処理である。第２特定処理は、スキャンボタンＧＣに入力される特定処理指示に対応する。第２特定処理の実行動作に関する特定処理情報ＮＰは、例えば、生成された画像データＤである。
【００３６】
第３特定処理は、例えば、シートＳへの画像形成処理で使用するトナーの残量情報の抽出処理、画像形成処理による印刷枚数情報（例えば、コピー枚数情報）の抽出処理、及び、シートＳへの画像形成処理に要した課金額情報（例えば、コピー料金の受領額情報）の抽出処理である。第３特定処理は、状態ボタンＧＤに入力される特定処理指示に対応する。第３特定処理の実行動作に関する特定処理情報ＮＰは、例えば、トナーの残量情報、印刷枚数情報、又は課金額情報である。
【００３７】
第４特定処理は、例えば、画像データＤの送信先を示すメールアドレス情報の抽出処理である。第４特定処理は、メールアドレスボタンＧＡに入力される特定処理指示に対応する。第４特定処理の実行動作に関する特定処理情報ＮＰは、例えば、メールアドレス情報である。
【００３８】
第５特定処理は、例えば、特定の処理のための操作マニュアル情報の送信処理、特定の処理のためのアイコン配置情報の送信処理、特定の処理が実行される際の連動切替情報の送信処理、又は、特定の処理の実行に対する割込処理情報及び復帰処理情報の送信処理である。連動切替情報は、画像形成装置１００と携帯端末装置２００との連動表示処理を切り替える制御信号である。第５特定処理は、設定ボタンＧＥに入力される特定処理指示に対応する。第５特定処理の実行動作に関する特定処理情報ＮＰは、例えば、操作マニュアル情報、アイコン配置情報、連動切替情報、割込処理情報、又は復帰処理情報である。
【００３９】
終了ボタンＧＦに終了指示が入力されると、通信システム１は、無線通信を終了すると共に無線通信メニューの表示を終了する。無線通信を終了する前に、無線通信メニューの表示を終了してよいか否かを確認する画像（例えば、確認メッセージ画像及びソフトウェアボタン画像）を更に表示してもよい。終了を確定する終了確定指示がソフトウェアボタン画像に入力された場合、通信システム１は、無線通信を終了すると共に無線通信メニューの表示を終了する。終了を中止する終了中止指示がソフトウェアボタン画像に入力された場合、表示部６０は、無線通信メニューを引き続き表示する。
【００４０】
続いて、図３〜図５を参照して、端末入力表示部２４０の構成の詳細、及び画面画像Ｇの表示と端末画面画像ＴＧの表示との連動機能について説明する。図５（ａ）は、携帯端末装置２００を示す図である。図５（ｂ）は、端末入力表示部２４０を示す図である。
【００４１】
図５（ａ）に示すように、端末入力表示部２４０は、端末画面画像ＴＧを表示する。端末画面画像ＴＧは、各種の指示を入力するための画像である。端末画面画像ＴＧは、メッセージ画像ＴＧ１、ソフトウェアボタン画像ＴＧ２、及び端末アイコン画像ＴＧ３を含む。メッセージ画像ＴＧ１は、各種のメッセージを示す。ソフトウェアボタン画像ＴＧ２は、例えば、了承する指示が入力されるＹＥＳボタン、又は、拒否する指示が入力されるＮＯボタンを示す。端末アイコン画像ＴＧ３は、特定処理指示を入力するためのアイコンを示す。なお、端末入力表示部２４０は、ディスプレーに加えて、ホームボタンＴＢのようなハードウェアボタンを更に含んでいてもよい。
【００４２】
端末入力表示部２４０は、画面画像Ｇに対応する端末画面画像ＴＧを画面画像情報ＮＳに従って表示する。詳細には、無線通信開始指示が端末入力表示部２４０に入力されると、端末入力表示部２４０は、「Ｗｉ−Ｆｉダイレクト（登録商標）をＯＮにしてください。」のようなメッセージを示すメッセージ画像ＴＧ１を表示する。ＹＥＳ指示がＹＥＳボタンに入力されると、通信部５０が無線通信可能な状態で予め待機している場合に、端末通信部２３０は、通信部５０との無線通信を開始する。無線通信が開始されると、制御部１０は、通信部５０を介して画面画像情報ＮＳを示す信号を端末通信部２３０に送信する。特定処理情報ＮＰは、画面画像情報ＮＳを含む。画面画像情報ＮＳは、画面画像Ｇを示す情報である。端末通信部２３０は、通信部５０から送信された画面画像情報ＮＳに従って、画面画像Ｇに対応する端末画面画像ＴＧを表示する。
【００４３】
図５（ｂ）に示す端末画面画像ＴＧは、図４（ｂ）に示した画面画像Ｇに対応する端末画面画像ＴＧの一例である。図４（ｂ）を参照して説明した画面画像Ｇと同様に、端末入力表示部２４０は、特定処理指示を入力するための端末画面画像ＴＧを無線通信メニューとして表示する。端末画面画像ＴＧは、メールアドレスアイコンＴＧＡ、画像データアイコンＴＧＢ、スキャンアイコンＴＧＣ、状態アイコンＴＧＤ、設定アイコンＴＧＥ、及び終了アイコンＴＧＦのような端末アイコン画像ＴＧ３を含む。メールアドレスアイコンＴＧＡ、画像データアイコンＴＧＢ、スキャンアイコンＴＧＣ、状態アイコンＴＧＤ、設定アイコンＴＧＥ、及び終了アイコンＴＧＦは、図４（ｂ）を参照して説明したメールアドレスボタンＧＡ、画像データボタンＧＢ、スキャンボタンＧＣ、状態ボタンＧＤ、設定ボタンＧＥ、及び終了ボタンＧＦにそれぞれ対応する。なお、端末アイコン画像ＴＧ３は、ソフトウェアボタン画像であってもよい。
【００４４】
表示部６０による画面画像Ｇの表示と、端末入力表示部２４０による端末画面画像ＴＧの表示とは、入力部４０及び／又は端末入力表示部２４０への入力に基づいて互いに連動する。詳細には、画面画像Ｇを介して入力部４０に各種指示が入力された場合、入力された各種指示に基づいて、制御部１０は、端末通信部２３０に制御信号を送信するように通信部５０を制御する。端末制御部２１０は、通信部５０から送信される制御信号に従い、画面画像Ｇに対応する端末画面画像ＴＧを表示するように端末入力表示部２４０を制御する。一方、端末画面画像ＴＧを介して端末入力表示部２４０に指示が各種入力された場合、端末制御部２１０は、入力された各種指示に基づいて、通信部５０へ制御信号を送信するように端末通信部２３０を制御する。制御部１０は、端末通信部２３０から送信される制御信号に従い、端末画面画像ＴＧに対応する画面画像Ｇを表示するように表示部６０を制御する。特定処理指示が端末画面画像ＴＧを介して端末入力表示部２４０に入力された場合、端末通信部２３０は、特定処理指示に対応する制御信号を通信部５０へ送信する。制御部１０は、端末通信部２３０から送信された制御信号に従い、特定処理情報ＮＰを端末通信部２３０へ送信するように画像形成装置１００の各部を制御する。
【００４５】
以上、図２〜図５を参照して説明したように、本実施形態によれば、表示部６０は、特定処理指示を入力するための画面画像Ｇを表示する。通信部５０は、画面画像情報ＮＳを端末通信部２３０に送信する。端末入力表示部２４０は、画面画像Ｇに対応する端末画面画像ＴＧを画面画像情報ＮＳに従って表示する。表示部６０による画面画像Ｇの表示と、端末入力表示部２４０による端末画面画像ＴＧの表示とは、入力部４０及び／又は端末入力表示部２４０への入力に基づいて互いに連動する。従って、ユーザーは、画像形成装置１００と携帯端末装置２００とのいずれに対しても同様の特定処理指示を入力できる。その結果、特定処理情報ＮＰを端末通信部２３０へ送信する際の利便性を向上させることができる。
【００４６】
また、本実施形態によれば、制御部１０は、原稿Ｍの画像を読み取り画像データＤを生成するように読取部７０を制御する。特定処理情報ＮＰは、生成された画像データＤを含む。従って、ユーザーは、手元の原稿Ｍの画像に対応する画像データＤを携帯端末装置２００に容易に送信できる。
【００４７】
なお、通信部５０が無線通信で端末通信部２３０と接続した後、表示部６０は、入力部４０又は端末入力表示部２４０のいずれに特定処理指示を入力するか選択するためのソフトウェアボタン画像を表示してもよい。入力部４０を選択する選択指示が入力された場合、表示部６０は画面画像Ｇを表示し、端末入力表示部２４０は端末画面画像ＴＧを表示しない。一方、端末入力表示部２４０を選択する選択指示が入力された場合、端末入力表示部２４０は端末画面画像ＴＧを表示し、表示部６０は画面画像Ｇを表示しない。ユーザーは、特定処理指示を入力する際の利便性に応じて、所望の装置を選択できる。
【００４８】
続いて、図４と図５とを参照しつつ、図６（ａ）及び（ｂ）を更に参照して、状態ボタンＧＤ又は状態アイコンＴＧＤへの特定処理指示の入力について説明する。図６（ａ）は、画像形成装置１００の操作パネルの一部を示す図である。図６（ｂ）は、端末入力表示部２４０を示す図である。
【００４９】
図６（ａ）は、状態ボタンＧＤ（図４（ｂ）参照）又は状態アイコンＴＧＤ（図５（ｂ）参照）に特定処理指示が入力された場合に、表示部６０が表示する画面画像Ｇを示す。画面画像Ｇは、トナー残量ボタンＧＤ１と、印刷枚数ボタンＧＤ２と、課金額ボタンＧＤ３とを含む。各ボタンへの特定処理指示の入力に応じて、図４（ｂ）を参照して説明した第３特定処理が進む。トナー残量ボタンＧＤ１に特定処理指示が入力されると、制御部１０は、画像形成処理で消費されるトナーの残量情報の抽出処理を実行する。印刷枚数ボタンＧＤ２に特定処理指示が入力されると、制御部１０は、シートＳに対する画像形成処理による印刷枚数情報の抽出処理を実行する。課金額ボタンＧＤ３に特定処理指示が入力されると、制御部１０は、シートＳに対する画像形成処理に要した課金額情報の抽出処理を実行する。課金額情報は、例えば、コンビニエンスストアに設置される複合機における、コピー代金の徴収総額を示す。
【００５０】
同様に、図６（ｂ）は、状態ボタンＧＤ又は状態アイコンＴＧＤに特定処理指示が入力された場合に、端末入力表示部２４０が表示する端末画面画像ＴＧを示す。端末画面画像ＴＧは、トナー残量アイコンＴＧＤ１と、印刷枚数アイコンＴＧＤ２と、課金額アイコンＴＧＤ３とを含む。トナー残量アイコンＴＧＤ１、印刷枚数アイコンＴＧＤ２、及び課金額アイコンＴＧＤ３への特定処理指示の入力は、トナー残量ボタンＧＤ１、印刷枚数ボタンＧＤ２、及び課金額ボタンＧＤ３への特定処理指示の入力にそれぞれ対応する。
【００５１】
続いて、図４と図５とを参照しつつ、図７（ａ）及び（ｂ）を更に参照して、設定ボタンＧＥ又は設定アイコンＴＧＥへの特定処理指示の入力について説明する。図７（ａ）は、画像形成装置１００の操作パネルの一部を示す図である。図７（ｂ）は、端末入力表示部２４０を示す図である。
【００５２】
図７（ａ）は、設定ボタンＧＥ（図４（ｂ）参照）又は設定アイコンＴＧＥ（図５（ｂ）参照）に特定処理指示が入力された場合に、表示部６０が表示する画面画像Ｇを示す。画面画像Ｇは、操作マニュアルＯＮ−ＯＦＦボタンＧＥ１と、画面連動ＯＮ−ＯＦＦボタンＧＥ２と、アイコン表示ボタンＧＥ３と、設定作業ボタンＧＥ４とを含む。各ボタンへの特定処理指示の入力に応じて、図４（ｂ）を参照して説明した第５特定処理が進む。
【００５３】
操作マニュアルＯＮ−ＯＦＦボタンＧＥ１に特定処理指示が入力されると、制御部１０は、特定の処理のための操作マニュアル情報の送信処理を実行する。なお、操作マニュアルＯＮ−ＯＦＦボタンＧＥ１への特定処理指示の入力については、図８（ａ）及び（ｂ）を参照して後述する。
【００５４】
画面連動ＯＮ−ＯＦＦボタンＧＥ２に特定処理指示（「表示選択指示」に相当する。）が入力されると、制御部１０は、特定の処理が実行される際の連動切替情報の送信処理を実行する。表示選択指示は、連動表示処理及び非連動表示処理のいずれか一方を選択する指示を示す。連動表示処理は、画面画像Ｇの表示と端末画面画像ＴＧの表示とを互いに連動させる表示処理を示す。非連動表示処理は、画面画像Ｇの表示と端末画面画像ＴＧの表示との連動を解除する表示処理を示す。連動表示処理又は非連動表示処理が選択されることによって、特定の処理を実行する際の利便性に応じて通信量を低減できる。また、非連動表示処理が選択される場合、表示部６０と端末入力表示部２４０とは、異なる特定処理指示に対応する入力結果をそれぞれ表示できる。従って、画像データＤに関する特定の処理を実行する際の利便性を維持しつつ、通信速度を向上させることができる。
【００５５】
アイコン表示ボタンＧＥ３に特定処理指示が入力されると、制御部１０は、特定の処理のためのアイコン配置情報の送信処理を実行する。なお、アイコン表示ボタンＧＥ３への特定処理指示の入力については、図９（ａ）を参照して後述する。
【００５６】
設定作業ボタンＧＥ４に特定処理指示が入力されると、制御部１０は、特定の処理の実行に対する割込処理情報及び復帰処理情報の送信処理を実行する。なお、設定作業ボタンＧＥ４への特定処理指示の入力については、図１０（ａ）を参照して後述する。
【００５７】
同様に、図７（ｂ）は、設定ボタンＧＥ又は設定アイコンＴＧＥに特定処理指示が入力された場合に、端末入力表示部２４０が表示する端末画面画像ＴＧを示す。端末画面画像ＴＧは、操作マニュアルＯＮ−ＯＦＦアイコンＴＧＥ１と、画面連動ＯＮ−ＯＦＦアイコンＴＧＥ２と、アイコン表示アイコンＴＧＥ３と、設定作業アイコンＴＧＥ４とを含む。操作マニュアルＯＮ−ＯＦＦアイコンＴＧＥ１、画面連動ＯＮ−ＯＦＦアイコンＴＧＥ２、アイコン表示アイコンＴＧＥ３、及び設定作業アイコンＴＧＥ４への特定処理指示の入力は、操作マニュアルＯＮ−ＯＦＦボタンＧＥ１、画面連動ＯＮ−ＯＦＦボタンＧＥ２、アイコン表示ボタンＧＥ３、及び設定作業ボタンＧＥ４への特定処理指示の入力にそれぞれ対応する。
【００５８】
続いて、図７（ａ）及び（ｂ）を参照しつつ、図８（ａ）及び（ｂ）を更に参照して、操作マニュアルＯＮ−ＯＦＦボタンＧＥ１への特定処理指示の入力について説明する。図８（ａ）及び（ｂ）は、端末入力表示部２４０を示す図である。
【００５９】
端末入力表示部２４０は、入力部４０への特定処理指示の入力に連動して端末入力マニュアル画像ＴＧ１１を表示する。詳細には、操作マニュアルＯＮ−ＯＦＦボタンＧＥ１に特定処理指示が入力されると、図８（ａ）に示すように、端末入力表示部２４０は、操作マニュアルＯＮボタンと操作マニュアルＯＦＦボタンとのようなソフトウェアボタン画像ＴＧ２を表示する。操作マニュアルＯＮボタンに特定処理指示が入力された後、更なる特定処理指示が入力部４０又は端末入力表示部２４０に入力されると、制御部１０は、特定の処理のための操作マニュアル情報の送信処理を実行する。
【００６０】
図８（ｂ）に示すように、端末入力表示部２４０は、通信部５０から送信される操作マニュアル情報に基づいて、端末入力マニュアル画像ＴＧ１１を表示する。具体的には、図８（ｂ）は、例えば、更なる特定処理指示がスキャンボタンＧＣ（図４（ｂ）参照）に入力された場合の端末画面画像ＴＧを示す。端末画面画像ＴＧは、端末入力マニュアル画像ＴＧ１１を含む。端末入力マニュアル画像ＴＧ１１は、端末入力表示部２４０への特定処理指示の入力手順を示す。端末入力マニュアル画像ＴＧ１１は、例えば、「本機の画面をタッチして、読み取る原稿の原稿面を選択します。」のようなメッセージ画像と、メッセージ画像に対応する端末画面画像ＴＧ１２とを含む。端末入力マニュアル画像ＴＧ１１は、入力部４０への特定処理指示の入力手順に対応しており、入力部４０への特定処理指示の入力に連動して表示される。操作マニュアルＯＦＦボタンに特定処理指示が入力された場合、端末入力マニュアル画像ＴＧ１１の表示は終了する。ユーザーは、携帯端末装置２００の操作を不得手とする場合であっても、画像形成装置１００に特定処理指示を入力しながら携帯端末装置２００に対する入力方法（操作手順）を習得できる。従って、特定処理指示が携帯端末装置２００に入力される際の誤操作を抑制できる。
【００６１】
続いて、図７（ａ）及び（ｂ）を参照しつつ、図９（ａ）及び（ｂ）を更に参照して、アイコン表示ボタンＧＥ３への特定処理指示の入力について説明する。図９（ａ）は、画像形成装置１００の操作パネルの一部を示す図である。図９（ｂ）は、端末入力表示部２４０を示す図である。
【００６２】
端末入力表示部２４０は、配置変更指示の入力に従い端末アイコン画像ＴＧ３の配置を変更する。具体的には、アイコン表示ボタンＧＥ３に特定処理指示が入力された後、図９（ａ）に示すように、端末アイコン画像ＴＧ３の配置変更指示（例えば、メールアドレスボタンＧＡと状態ボタンＧＤとの配置の入替指示）が入力部４０に入力される。配置変更は、例えば、端末アイコン画像ＴＧ３に含まれる各アイコンの配置順序を変更したり、一部のアイコンのみを非表示にする処理を含む。制御部１０は、配置変更指示に従い、アイコン配置情報の送信処理を実行する。
【００６３】
図９（ｂ）に示すように、端末入力表示部２４０は、通信部５０から送信されたアイコン配置情報に従い、端末アイコン画像ＴＧ３の配置を変更する。図７を参照して説明した非連動表示処理が選択されている場合、配置変更指示は、端末入力表示部２４０に入力されてもよい。ユーザーは、使用頻度に応じて端末アイコン画像ＴＧ３の配置をカスタマイズできる。従って、特定処理指示が入力される際の利便性を向上させることができる。
【００６４】
続いて、図７（ａ）及び（ｂ）を参照しつつ、図１０（ａ）及び（ｂ）を更に参照して、設定作業ボタンＧＥ４への特定処理指示の入力について説明する。図１０（ａ）は、画像形成装置１００の操作パネルの一部を示す図である。図１０（ｂ）は、端末入力表示部２４０を示す図である。
【００６５】
特定処理指示が設定作業ボタンＧＥ４に入力されると、表示部６０は、例えば、図１０（ａ）に示す画面画像Ｇを表示する。特定処理指示は、設定作業アイコンＴＧＥ４に入力されてもよい。端末入力表示部２４０による表示は、表示部６０による表示に連動する。画面画像Ｇは、割込アイコン画像ＧＥ４１と復帰アイコン画像ＧＥ４２とを含む。割込アイコン画像ＧＥ４１は、割込指示を入力するためのアイコンを示す。割込指示は、特定の処理の実行を一時停止し、端末画面画像ＴＧの表示と画面画像Ｇの表示との連動を一時解除する指示である。復帰アイコン画像ＧＥ４２は、復帰指示を入力するためのアイコンを示す。復帰指示は、一時停止された特定の処理の実行と、一時解除された連動とを再開する指示である。
【００６６】
端末入力表示部２４０は、表示部６０による表示に連動して、図１０（ｂ）に示す端末画面画像ＴＧを表示する。端末画面画像ＴＧは、端末割込アイコン画像ＴＧＥ４１と、端末復帰アイコン画像ＴＧＥ４２とを含む。端末割込アイコン画像ＴＧＥ４１は、割込アイコン画像ＧＥ４１に対応しており、割込指示を入力するためのアイコンを示す。端末復帰アイコン画像ＴＧＥ４２は、復帰アイコン画像ＧＥ４２に対応しており、復帰指示を入力するためのアイコンを示す。
【００６７】
割込指示が割込アイコン画像ＧＥ４１に入力されると、通信部５０は、割込指示に対応する割込処理情報を端末通信部２３０に送信する。制御部１０は、特定の処理の実行を一時停止する。制御部１０は、端末画面画像ＴＧの表示と画面画像Ｇの表示との連動を一時解除する。このとき、通信部５０と端末通信部２３０との間の無線通信は継続される。端末入力表示部２４０は、メッセージ画像ＴＧ１３を表示する。メッセージ画像ＴＧ１３は、例えば、「画像形成装置と通信中です。」のようなメッセージを示す。
【００６８】
復帰指示が復帰アイコン画像ＧＥ４２に入力されると、通信部５０は、復帰指示に対応する復帰処理情報を端末通信部２３０に送信する。制御部１０は、一時停止された特定の処理の実行を再開する。制御部１０は、一時解除された端末画面画像ＴＧの表示と画面画像Ｇの表示との連動を再開する。なお、割込指示は、端末割込アイコン画像ＴＧＥ４１に入力されてもよい。復帰指示は、端末復帰アイコン画像ＴＧＥ４２に入力されてもよい。
【００６９】
割込指示の入力と復帰指示の入力との間に、端末入力表示部２４０に更なる特定処理指示が入力される場合がある。このような場合には、復帰指示の入力後に、制御部１０は、一時停止された特定の処理の実行を再開し、更なる特定処理指示に対応する特定の処理を更に実行する。詳細には、割込指示の入力と復帰指示の入力との間に端末入力表示部２４０に更なる特定処理指示が入力された場合、端末記憶部２２０は、入力された更なる特定処理指示に対応する制御信号を記憶する。復帰指示の入力後、制御部１０は、一時停止された特定の処理の実行を再開する。端末通信部２３０は、更なる特定処理指示に対応する制御信号を通信部５０に送信する。制御部１０は、端末通信部２３０から送信された制御信号に従い、更なる特定処理指示に対応する特定の処理を実行する。従って、ユーザーは、他人が画像形成装置１００に対して割込み作業を行う間であっても、割込み作業開始前の画像形成装置１００に対する入力作業を携帯端末装置２００において引き続き進めることができる。その結果、画像形成装置１００を使用する際の利便性を向上させつつ、画像データＤに関する特定の処理を実行できる。
【００７０】
続いて、図４（ｂ）を参照しつつ、図１１（ａ）及び（ｂ）を更に参照して、通信部５０が端末通信部２３０を介して特定処理情報ＮＰを端末フォルダー２２１へ送信する処理の一例について説明する。図１１（ａ）は、端末入力表示部２４０を示す図である。図１１（ｂ）は、画像形成装置１００の操作パネルの一部を示す図である。既に図３を参照して説明したように、端末記憶部２２０は、１以上の端末フォルダー２２１を有する。１以上の端末フォルダー２２１は、例えば、通信部５０から送信される特定処理情報ＮＰを格納するためのフォルダーである。
【００７１】
図１１（ａ）に示すように、端末入力表示部２４０には、フォルダー指定指示が入力される。フォルダー指定指示は、１以上の端末フォルダー２２１のうちいずれか１つの端末フォルダー（以下、「指定端末フォルダー」と記載する。）を指定する指示である。指定端末フォルダーは、例えば、指定端末フォルダー２２１Ａ、指定端末フォルダー２２１Ｂ、又は指定端末フォルダー２２１Ｃである。例えば、ユーザーが指定端末フォルダー２２１Ｃを指でタッチすると、指定端末フォルダー２２１Ｃを指定するフォルダー指定指示が端末入力表示部２４０に入力される。
【００７２】
フォルダー指定指示が端末入力表示部２４０に入力された状態において、入力部４０に特定処理指示が入力される。具体的には、特定処理指示は、例えば、図１１（ｂ）に示すように、図４（ｂ）を参照して説明した第１特定処理のための指示である。特定処理指示が画像データボタンＧＢに入力されると、表示部６０は、図１１（ｂ）に示す画面画像Ｇを表示する。画面画像Ｇは、データ選択ボタンＧＢ１と、送信ボタンＧＢ２とを含む。データ選択ボタンＧＢ１は、画像データＤを選択するためのソフトウェアボタン画像である。データ選択ボタンＧＢ１に選択指示が入力された後、ユーザーは、記憶部２０に記憶されている画像データＤのうち任意の画像データＤ１を選択する。送信ボタンＧＢ２は、通信部５０を介して端末通信部２３０へ画像データＤ１を送信するためのソフトウェアボタン画像である。フォルダー指定指示が端末入力表示部２４０に入力された状態で、送信指示が送信ボタンＧＢ２に入力される。通信部５０は、画像データＤ１を端末通信部２３０に送信する。端末通信部２３０に送信された画像データＤ１は、端末フォルダー２２１に格納される。従って、特定処理情報ＮＰが画像形成装置１００から携帯端末装置２００へ送信された後に、所望の端末フォルダー２２１に特定処理情報ＮＰを格納し直す手間を軽減できる。
【００７３】
続いて、図１〜図１２を参照して通信システム１が実行する特定処理情報ＮＰの送信処理について説明する。図１２は、特定処理情報ＮＰの送信処理を示すフローチャートである。ステップＳ１０１〜ステップＳ１０５が実行されることによって、通信システム１は、特定処理情報ＮＰの送信処理を実行する。具体的には、以下の通りである。
【００７４】
ステップＳ１０１において、通信部５０は、無線通信で端末通信部２３０と接続する。処理は、ステップＳ１０３に進む。
【００７５】
次に、ステップＳ１０３において、制御部１０は、特定処理指示が入力部４０に入力されたか否かを判定する。特定処理指示が入力部４０に入力された場合（ステップＳ１０３でＹｅｓ）に、処理はステップＳ１０５に進む。一方、特定処理指示が入力部４０に入力されなかった場合（ステップＳ１０３でＮｏ）に、特定処理指示が入力部４０に入力されるまでステップＳ１０３の処理を繰り返す。
【００７６】
ステップＳ１０３でＹｅｓの場合に、ステップＳ１０５において、制御部１０は、特定の処理を実行する。通信部５０は、端末通信部２３０に特定処理情報ＮＰを送信する。そして、処理は終了する。
【００７７】
続いて、図１〜図１３を参照して説明した特定処理指示の入力（ステップＳ１０３）と、特定の処理の実行及び特定処理情報ＮＰの送信（ステップＳ１０５）との詳細について説明する。図１３は、特定処理情報ＮＰの送信処理の一部を示すフローチャートである。詳細には、通信システム１は、ステップＳ２０１〜ステップＳ２３１を実行することによって、図１２に示すステップＳ１０３とステップＳ１０５との処理を実行する。具体的には、以下の通りである。
【００７８】
ステップＳ２０１において、制御部１０は、メールアドレス送信指示（第４特定処理のための特定処理指示）が入力部４０に入力されたか否かを判定する。メールアドレス送信指示が入力部４０に入力された場合（ステップＳ２０１でＹｅｓ）に、処理はステップＳ２０３に進む。一方、メールアドレス送信指示が入力部４０に入力されなかった場合（ステップＳ２０１でＮｏ）に、処理はステップＳ２０９に進む。
【００７９】
ステップＳ２０１でＹｅｓの場合に、ステップＳ２０３において、制御部１０は、ユーザー認証を要求する否かを判定する。ユーザー認証を要求する場合（ステップＳ２０３でＹｅｓ）に、処理はステップＳ２０５に進む。一方、ユーザー認証を要求しない場合（ステップＳ２０３でＮｏ）に、処理はステップＳ２０７に進む。
【００８０】
ステップＳ２０３でＹｅｓの場合に、ステップＳ２０５において、制御部１０は、ユーザーを認証したか否かを判定する。ユーザーを認証した場合（ステップＳ２０５でＹｅｓ）に、処理はステップＳ２０７に進む。一方、ユーザーを認証しなかった場合（ステップＳ２０５でＮｏ）に、認証可能なユーザー識別番号とパスワードとが入力部４０に入力されるまでステップＳ２０３とステップＳ２０５とを繰り返す。
【００８１】
ステップＳ２０３でＮｏの場合、又はステップＳ２０５でＹｅｓの場合に、ステップＳ２０７において、通信部５０は、端末通信部２３０にメールアドレス情報を送信する。そして、処理は終了する。
【００８２】
ステップＳ２０１でＮｏの場合に、ステップＳ２０９において、制御部１０は、画像データ送信指示（第１特定処理のための特定処理指示）が入力部４０に入力されたか否かを判定する。画像データ送信指示が入力部４０に入力された場合（ステップＳ２０９でＹｅｓ）に、処理はステップＳ２１１に進む。一方、画像データ送信指示が入力部４０に入力されなかった場合（ステップＳ２０９でＮｏ）に、処理はステップＳ２１５に進む。
【００８３】
ステップＳ２０９でＹｅｓの場合に、ステップＳ２１１において、選択指示に応じて画像データＤが選択される。処理は、ステップＳ２１３に進む。
【００８４】
次に、ステップＳ２１３において、通信部５０は、選択された画像データＤを端末通信部２３０に送信する。そして、処理は終了する。
【００８５】
ステップＳ２０９でＮｏの場合に、ステップＳ２１５において、制御部１０は、スキャン送信指示（第２特定処理のための特定処理指示）が入力部４０に入力されたか否かを判定する。スキャン送信指示が入力部４０に入力された場合（ステップＳ２１５でＹｅｓ）に、処理はステップＳ２１７に進む。一方、スキャン送信指示が入力部４０に入力されなかった場合（ステップＳ２１５でＮｏ）に、処理はステップＳ２２１に進む。
【００８６】
ステップＳ２１５でＹｅｓの場合に、ステップＳ２１７において、読取部７０は、原稿Ｍの画像を読み取り、画像データＤを生成する。処理は、ステップＳ２１９に進む。
【００８７】
次に、ステップＳ２１９において、通信部５０は、端末通信部２３０に原稿画像データ（生成された画像データＤ）を送信する。そして、処理は終了する。
【００８８】
ステップＳ２１５でＮｏの場合に、ステップＳ２２１において、制御部１０は、状態確認指示（第３特定処理のための特定処理指示）が入力部４０に入力されたか否かを判定する。状態確認指示が入力部４０に入力された場合（ステップＳ２２１でＹｅｓ）に、処理はステップＳ２２３に進む。一方、状態確認指示が入力部４０に入力されなかった場合（ステップＳ２２１でＮｏ）に、処理はステップＳ２２７に進む。
【００８９】
ステップＳ２２１でＹｅｓの場合に、ステップＳ２２３において、選択指示に応じて各種の状態項目（例えば、トナー残量ボタンＧＤ１、印刷枚数ボタンＧＤ２、又は課金額ボタンＧＤ３）が選択される。処理は、ステップＳ２２５に進む。
【００９０】
次に、ステップＳ２２５において、通信部５０は、選択された状態項目に対応する状態情報（例えば、トナーの残量情報、印刷枚数情報、又は課金額情報）を端末通信部２３０に送信する。そして、処理は終了する。
【００９１】
ステップＳ２２１でＮｏの場合に、ステップＳ２２７において、制御部１０は、設定確認指示（第５特定処理のための特定処理指示）が入力部４０に入力されたか否かを判定する。設定確認指示が入力部４０に入力された場合（ステップＳ２２７でＹｅｓ）に、処理はステップＳ２２９に進む。一方、設定確認指示が入力部４０に入力されなかった場合（ステップＳ２２７でＮｏ）に、処理は終了する。
【００９２】
次に、ステップＳ２２９において、選択指示に応じて各種の設定項目（例えば、操作マニュアルＯＮ−ＯＦＦボタンＧＥ１、画面連動ＯＮ−ＯＦＦボタンＧＥ２、アイコン表示ボタンＧＥ３、又は設定作業ボタンＧＥ４）が選択される。処理は、ステップＳ２３１に進む。
【００９３】
次に、ステップＳ２３１において、通信部５０は、選択された設定項目に対応する設定情報（例えば、操作マニュアル情報、アイコン配置情報、連動切替情報、割込処理情報、又は復帰処理情報）を端末通信部２３０に送信する。そして、処理は終了する。
【００９４】
なお、通信部５０は、近距離無線通信で端末通信部２３０と通信可能であることが好ましい。近距離無線通信は、例えば、ＮＦＣである。ユーザーは、通信部５０と端末通信部２３０との間の距離（以下「装置間距離」と記載する。）が予め規定された閾値よりも小さくなるように、携帯端末装置２００を画像形成装置１００に近接させる。閾値は、例えば、１０ｃｍである。制御部１０は、装置間距離が閾値よりも小さい場合に、特定処理指示の入力に基づいて、特定処理情報ＮＰを端末通信部２３０へ送信するように通信部５０を制御する。従って、通信部５０は、画像形成装置１００に近接した携帯端末装置２００に対してのみ、特定処理情報ＮＰを送信する。その結果、誤ったタイミングで特定処理情報ＮＰを携帯端末装置２００に送信することを抑制できる。
【００９５】
また、制御部１０は、装置間距離が小さくなり続けると、予め規定された閾値を大きくするように閾値を変更してもよい。さらに、制御部１０は、装置間距離が大きくなり続けると、予め規定された閾値を小さくするように閾値を変更してもよい。詳細には、画像形成装置１００と携帯端末装置２００とは、例えば、予め無線ＬＡＮ（Ｌｏｃａｌ  Ａｒｅａ  Ｎｅｔｗｏｒｋ）を介して通信可能に接続されている。通信部５０は、例えば、ＧＰＳ機能を用いて画像形成装置１００の位置情報を取得する。端末通信部２３０は、例えば、ＧＰＳ機能を用いて携帯端末装置２００の位置情報を取得し、通信部５０に送信する。制御部１０は、画像形成装置１００の位置情報と、端末通信部２３０から送信された携帯端末装置２００の位置情報とに基づいて、装置間距離の変動を計測する。通信部５０は、Ｂｌｕｅｔｏｏｔｈ（登録商標）のような近距離無線通信で端末通信部２３０と通信可能である。予め規定された閾値は、例えば、５ｍである。携帯端末装置２００を携帯するユーザーが画像形成装置１００に近づいていくと、制御部１０は、予め規定された閾値を大きくする。ユーザーが画像形成装置１００から離れていくと、制御部１０は、予め規定された閾値を小さくする。従って、ユーザーの移動方向に応じて、画像形成装置１００から携帯端末装置２００に特定処理情報ＮＰを送信できるタイミングを利便性良く変更できる。さらに、制御部１０は、装置間距離が小さくなり続けている間、装置間距離の小さくなるペースが速まるにつれて、予め規定された閾値を大きくするように閾値を変更してもよい。さらに、制御部１０は、装置間距離が大きくなり続けている間、装置間距離の大きくなるペースが速まるにつれて閾値を小さくするように閾値を変更してもよい。携帯端末装置２００を携帯するユーザーが画像形成装置１００に近づいていく速度を速めるにつれて、制御部１０は、予め規定された閾値を更に大きくする。ユーザーが画像形成装置１００から離れていく速度を速めるにつれて、制御部１０は、予め規定された閾値をさらに小さくする。従って、ユーザーの移動方向と移動速度の変化とに応じて、画像形成装置１００から携帯端末装置２００に特定処理情報ＮＰを送信できるタイミングを更に利便性良く変更できる。
【００９６】
また、画像形成装置１００に携帯端末装置２００を近距離無線通信のために近接させる前に、特定処理指示が予め入力部４０に入力されていてもよい。このような近距離無線通信による特定処理情報ＮＰの送信処理について、図１４を参照して引き続き説明する。図１４は、特定処理情報ＮＰの送信処理を示すフローチャートである。ステップＳ３０１〜ステップＳ３０７が実行されることによって、通信システム１は、特定処理情報ＮＰの送信処理を実行する。具体的には、以下の通りである。
【００９７】
ステップＳ３０１は、図１２を参照して説明したステップＳ１０３に対応しており、同様の処理を実行する。特定処理指示が入力部４０に入力された場合（ステップＳ３０１でＹｅｓ）に、処理はステップＳ３０３に進む。一方、特定処理指示が入力部４０に入力されなかった場合（ステップＳ３０１でＮｏ）に、特定処理指示が入力部４０に入力されるまでＳ３０１を繰り返す。
【００９８】
ステップＳ３０１でＹｅｓの場合に、ステップＳ３０３において、通信部５０は、近距離無線通信で端末通信部２３０と接続する。処理は、ステップＳ３０５に進む。
【００９９】
次に、ステップＳ３０５において、制御部１０は、装置間距離が予め規定された閾値未満か否かを判定する。装置間距離が予め規定された閾値未満である場合（ステップＳ３０５でＹｅｓ）に、処理はステップＳ３０７に進む。一方、装置間距離が予め規定された閾値未満でない場合（ステップＳ３０５でＮｏ）に、装置間距離が予め規定された閾値未満であると判定されるまでステップＳ３０５を繰り返す。
【０１００】
ステップＳ３０７は、図１２を参照して説明したステップＳ３０５に対応しており、同様の処理を実行する。そして、処理は終了する。
【０１０１】
以上、図面（図１〜図１４）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の材質、距離等は一例であって、特に限定されるものではなく、本発明の構成から実質的に逸脱しない範囲で種々の変更が可能である。
【０１０２】
（１）図１２〜図１４を参照して説明した通信システム１による特定処理情報ＮＰの送信処理において、特定処理指示は入力部４０に入力されていたが、本発明はこれに限られない。例えば、図１２に示すステップＳ１０３、図１３に示すステップＳ２０１、ステップＳ２０９、ステップＳ２１５、ステップＳ２２１、ステップＳ２２３、ステップＳ２２７、ステップＳ２２９、及び図１４に示すステップＳ３０１の処理では、特定処理指示は入力部４０に入力されていた。しかしながら、入力部４０又は端末入力表示部２４０のいずれかに特定処理指示が入力されることに基づいて、画像形成装置１００が携帯端末装置２００に特定処理情報ＮＰを送信する構成でありさえすればよい。既に図３〜図５を参照して説明したように、表示部６０による画面画像Ｇの表示と、端末入力表示部２４０による端末画面画像ＴＧの表示とは、連動する。従って、特定処理指示は、入力部４０又は端末入力表示部２４０のいずれに対しても入力され得る。また、通信部５０が無線通信で端末通信部２３０と接続した後、例えば、以降の特定処理指示を端末入力表示部２４０に対して入力する選択指示が入力部４０又は端末入力表示部２４０に入力される場合もあり得る。このような場合、図１２〜図１４に示す特定処理指示は、端末入力表示部２４０に入力され得る。特定処理指示が端末入力表示部２４０に入力された場合、端末制御部２１０が入力の有無を判定する。端末通信部２３０は、判定結果を示す制御信号を通信部５０に送信する。制御部１０は、端末通信部２３０から送信された制御信号に従い、特定処理指示に対応する各部の動作を制御する。従って、ユーザーは、各装置の操作方法に対する習熟度に応じて、所望の装置から特定処理指示を入力できる。
【０１０３】
（２）図３を参照して説明したユーザー認証指示は、入力部４０に入力されていたが、本発明はこれに限られない。制御部１０がユーザー認証指示とユーザー識別情報ＮＵとに基づいてユーザーを認証する構成でありさえすればよい。通信システム１は、例えば、カードを更に備え得る。通信部５０は、例えば、カードを読み取り可能なカードリーダーを更に含み得る。カード（例えば、社員証としての非接触型ＩＣカード）には、ユーザーに対して一意なユーザー識別番号及びパスワードが予め記憶されている。ユーザーがユーザー認証指示としてカードをカードリーダーに近接させると、カードリーダーは、カードからユーザー識別番号とパスワードとを読み取り、制御部１０に出力する。制御部１０は、ユーザー識別番号及びパスワードと、記憶部２０に予め記憶されているユーザー識別情報ＮＵとに基づいてユーザーを認証する。従って、ユーザー認証指示の入力の際に、ユーザー識別番号とパスワードとを画像形成装置１００の操作パネルに入力する手間を軽減できる。
【０１０４】
（３）図１〜図１４を参照して説明した画像形成装置１００は、電子写真方式のモノクロ複合機であったが、本発明はこれに限られない。画像形成装置１００は、画像データＤに関する特定の処理を実行する構成でありさえすればよい。画像形成装置１００は、例えば、インクジェット記録方式であってもよいし、カラー複合機であってもよい。例えば、画像形成装置１００がインクジェット記録方式の複合機である実施形態において、画像形成ユニット３０は、記録ヘッドを含む。消耗品は、インクである。
【産業上の利用可能性】
【０１０５】
本発明は、画像形成装置及び通信システムの分野に利用可能である。
【符号の説明】
【０１０６】
１          通信システム
１００      画像形成装置
１０        制御部
２０        記憶部
３０        画像形成ユニット（画像形成部）
４０        入力部
５０        通信部
６０        表示部
７０        読取部
２００      携帯端末装置
２２０      端末記憶部
２２１      端末フォルダー
２３０      端末通信部
２４０      端末入力表示部
Ｇ          画面画像
ＧＥ４１    割込アイコン画像
ＧＥ４２    復帰アイコン画像
Ｍ          原稿
ＮＰ        特定処理情報
ＮＳ        画面画像情報
ＮＵ        ユーザー識別情報
Ｓ          シート
ＴＧ        端末画面画像
ＴＧ１１    端末入力マニュアル画像
ＴＧ３      端末アイコン画像
ＴＧＥ４１  端末割込アイコン画像
ＴＧＥ４２  端末復帰アイコン画像
【図１】
2019096955.tif 000003
【図２】
2019096955.tif 000004
【図３】
2019096955.tif 000005
【図４】
2019096955.tif 000006
【図５】
2019096955.tif 000007
【図６】
2019096955.tif 000008
【図７】
2019096955.tif 000009
【図８】
2019096955.tif 000010
【図９】
2019096955.tif 000011
【図１０】
2019096955.tif 000012
【図１１】
2019096955.tif 000013
【図１２】
2019096955.tif 000014
【図１３】
2019096955.tif 000015
【図１４】
2019096955.tif 000016